(57)【特許請求の範囲】
【請求項１】
圧縮された映像信号の録画および再生を行う圧縮映像記録再生装置において，
フレーム内符号化フレームとフレーム間符号化フレームとを含む第１の圧縮映像信号を入力する圧縮映像入力端子と，
圧縮映像信号を伸長処理して圧縮されていない映像信号を出力するデコーダ回路と，
前記デコーダ回路の出力する映像信号を外部へ出力する映像出力端子と，
前記デコーダ回路の出力する映像信号を入力して，フレーム内圧縮符号化により圧縮処理し，第２の圧縮映像信号を出力するエンコーダ回路と，
前記第１の圧縮映像信号と前記第２の圧縮映像信号とを入力し，両信号がフレーム内符号化フレームの場合には前記第１の圧縮映像信号を，それ以外の場合には前記第２の圧縮映像信号をフレーム毎に選択し，第３の圧縮映像信号として出力する圧縮信号選択回路と，
録画時には，前記第３の圧縮映像信号を入力して記録し，再生時には，前記記録された第３の圧縮映像信号を出力する圧縮映像記録回路と，
前記第１の圧縮映像信号と前記第３の圧縮映像信号とを入力し，録画時には前記第１の圧縮映像信号を選択し，再生時には前記第３の圧縮映像信号を選択して，前記デコーダ回路へ出力するセレクタ回路とを備えた
ことを特徴とする圧縮映像記録再生装置。
【請求項２】
圧縮された映像信号の録画および再生を行う圧縮映像記録再生方法において，
録画時に，
圧縮映像入力端子から入力したフレーム内符号化フレームとフレーム間符号化フレームとを含む第１の圧縮映像信号を伸長処理して，圧縮されていない映像信号を生成する過程と，
前記圧縮されていない映像信号をフレーム内圧縮符号化により圧縮処理し，第２の圧縮映像信号を生成する過程と，
前記第１の圧縮映像信号と前記第２の圧縮映像信号とのそれぞれのフレームタイプをフレーム毎に識別し，両信号がフレーム内符号化フレームの場合には前記第１の圧縮映像信号を，それ以外の場合には前記第２の圧縮映像信号を選択して記録する過程とを有し，
記録した圧縮映像信号の再生時に，
前記記録した圧縮映像信号を読み出す過程と，
読み出した圧縮映像信号を伸長処理して，圧縮されていない映像信号を生成し，外部へ出力する過程とを有する
ことを特徴とする圧縮映像記録再生方法。
【発明の詳細な説明】
【０００１】
【発明の属する技術分野】
本発明は，圧縮された映像信号を録画・再生する圧縮映像記録再生装置および圧縮映像記録再生方法に関する。
【０００２】
【従来の技術】
従来，圧縮された映像信号を録画再生する装置として，例えばＢＳチューナ内蔵のＤ−ＶＨＳ方式のビデオテープレコーダ（ＶＴＲ）のような圧縮映像記録再生装置がある。このような従来の圧縮映像記録再生装置は，ＭＰＥＧ等で圧縮された映像信号（これを圧縮映像信号という）を受信し，送信された圧縮映像信号をそのまま録画する。
【０００３】
図４は，従来の圧縮映像記録再生装置の構成例を示す。まず，圧縮映像入力端子１１からの映像（例えば放送波の映像）をリアルタイムで視聴しながら録画する場合について動作を説明する。この場合，セレクタ回路１２は，圧縮映像信号Ｓ１１をデコーダ回路１３に出力する。デコーダ回路１３は，セレクタ回路１２で選択された圧縮映像信号Ｓ１２を入力し，これを伸長処理して映像信号Ｓ１３に変換し，映像出力端子１５に出力する。また，圧縮映像信号Ｓ１１は，圧縮映像記録回路１４にも入力され，記録される。
【０００４】
次に，既に圧縮映像記録回路１４に録画された圧縮映像信号を再生する場合について動作を説明する。この場合，セレクタ回路１２は，圧縮映像記録回路１４からの記録済みの圧縮映像信号Ｓ１４を選択してデコーダ回路１２に出力する。デコーダ回路１３は，セレクタ回路１２から出力された圧縮映像信号Ｓ１２を入力し，これを伸長処理して映像信号Ｓ１３に変換し，映像出力端子１５に出力する。
【０００５】
【発明が解決しようとする課題】
しかしながら，上記のような構成では，指定された先頭フレームを再生するためには，一般に当該先頭フレーム以外のフレームを再生した後でないと，その先頭フレームが再生可能にならないため，先頭フレームが指示されてから，再生されるまでの時間待ちが大きいという問題があった。
【０００６】
以下にその理由を説明する。ここでは，ＭＰＥＧ等の圧縮映像信号の例について簡単に説明する。圧縮映像信号は，フレーム内だけの情報を用いて圧縮されたＩフレーム（フレーム内符号化フレーム）の圧縮信号と，フレーム内情報に加え，他フレーム間との差分情報をも使用して圧縮されたフレーム（ＰフレームやＢフレーム）の圧縮信号から構成される。Ｉフレームの再生には同一フレーム圧縮信号だけが必要であるが，Ｉフレーム以外のフレームの再生には，別なフレームを再生した映像信号が必要である。例えば，Ｐフレームの再生には，当該Ｐフレームと，直前のＰフレームまたはＩフレームの再生が必要である。
【０００７】
図５は，圧縮映像信号の例であり，ＭＰＥＧ２符号化で圧縮されたＩフレーム間隔Ｎ＝５の映像を示している。ＩはＩフレームを，ＰはＰフレームを表す。数字はフレーム番号を示す。矢印は各フレームを再生するのに必要な情報を持つ他フレームを示している。
【０００８】
図５のような圧縮映像信号が，従来構成の圧縮映像記録回路１４に録画される。しかしながら，上記のような従来構成では，図５から明らかなように，例えばＰ５のフレームを再生するためにはＰ４のフレーム情報，つまりＰ４の再生が必要であり，Ｐ４を再生するためにはＰ３のフレーム情報，つまりＰ３の再生が必要であり，最終的にはＩ１フレームの情報が必要である。
【０００９】
したがって，入力された圧縮映像信号Ｓ１１がそのまま圧縮映像記録回路１４に記録される従来構成の装置の場合，Ｐ５のフレームを先頭として再生を試みようとしても，図６に示すようにＰ４，Ｐ３，Ｐ２，Ｉ１の合計４フレームを再生したあとに，初めてＰ５フレームが再生可能となる。
【００１０】
ＢＳ放送等に使用される圧縮映像信号はＮ＝１５のことが多いため，この場合，指定されたフレームが表示されるまで最大およそ０．５秒待たされるという問題がある。
【００１１】
本発明は上記問題点の解決を図り，圧縮されて記録された映像記録を読み出して再生する際に，指定フレームの表示までの待ち時間を低減することを目的とする。
【００１２】
【課題を解決するための手段】
上記課題を解決するため，本発明は，例えば図１に示すように，
・圧縮映像入力端子１から入力された圧縮映像信号Ｓ１と後述する圧縮映像記録回路６から出力された圧縮映像信号Ｓ６とを入力し，再生時には圧縮映像信号Ｓ６を，録画時には圧縮映像信号Ｓ１を選択し，圧縮映像信号Ｓ２として出力するセレクタ回路２と，
・セレクタ回路２から出力される圧縮映像信号Ｓ２を入力し，これを伸長処理して圧縮されていない通常の映像信号Ｓ３を出力するデコーダ回路３と，
・映像信号Ｓ３を装置外部へ出力する映像出力端子７と，
・映像信号Ｓ３を入力して，これを圧縮処理し，圧縮映像信号Ｓ４を出力するエンコーダ回路４と，
・圧縮映像信号Ｓ１と圧縮映像信号Ｓ４とを入力し，フレーム毎に圧縮映像信号Ｓ１と圧縮映像信号Ｓ４のそれぞれのフレームタイプを識別し，両信号がＩフレームの場合には圧縮映像信号Ｓ１を選択し，それ以外の場合には圧縮映像信号Ｓ４を選択して，圧縮映像信号Ｓ５として出力する圧縮信号選択回路５と，
・圧縮映像信号Ｓ５を入力し，記録時には圧縮映像信号Ｓ５を録画するとともに，再生時には，録画された圧縮映像信号を，圧縮映像信号Ｓ６として出力する圧縮映像記録回路６と
を備えたものである。
【００１３】
また，本発明による圧縮映像記録再生方法は，記録（録画）時に，圧縮映像入力端子１から入力したフレーム内符号化フレームとフレーム間符号化フレームとを含む圧縮映像信号Ｓ１を伸長処理して，圧縮されていない映像信号Ｓ３を生成し，その映像信号Ｓ３をフレーム内圧縮符号化により圧縮処理し，圧縮映像信号Ｓ４を生成し，圧縮映像信号Ｓ１と圧縮映像信号Ｓ４とのそれぞれのフレームタイプをフレーム毎に識別し，両信号がフレーム内符号化フレームの場合には圧縮映像信号Ｓ１を，それ以外の場合には圧縮映像信号Ｓ４を選択して，その結果の圧縮映像信号Ｓ５を記録する。また，記録した圧縮映像信号の再生時には，記録済みの圧縮映像信号Ｓ５を読み出して圧縮映像信号Ｓ６として出力し，それを伸長処理して，圧縮されていない映像信号Ｓ３を生成し，映像出力端子７から外部へ出力することを特徴とする。
【００１４】
本発明では，上記構成により，圧縮映像記録回路６に記録される圧縮映像信号を全てＩフレーム（フレーム内符号化フレーム）にすることができる。このため，任意のフレームを再生フレームの先頭にして再生する場合，即座に当該先頭フレームから再生することができる。また，圧縮映像信号を圧縮映像記録回路６に記録する際に，圧縮信号選択回路５により圧縮映像信号Ｓ１とＳ４とを切り替えて選択するので，全て圧縮映像信号Ｓ４を記録する場合に比べて，画質の劣化を少なくすることができる。
【００１５】
【発明の実施の形態】
図１は，本発明の一実施形態のブロック構成を説明する図である。図２は，本発明の一実施形態における記録時の各信号の関係，図３は，本発明の一実施形態における再生時の各信号の関係を示す図である。本実施形態では，Ｉフレーム間隔Ｎ＝５の場合について説明するが，フレーム間隔は必ずしも５でなくてもよい。まず，記録（録画）時の動作を説明する。
【００１６】
＜記録時＞
セレクタ回路２では圧縮映像入力端子１から入力された圧縮映像信号Ｓ１を選択して，圧縮映像信号Ｓ２としてデコーダ回路３に出力する。デコーダ回路３では，入力した圧縮映像信号Ｓ２を伸長処理して，映像信号Ｓ３を出力する。映像信号Ｓ３は，外部への映像出力端子７およびエンコーダ回路４に出力される。エンコーダ回路４は，入力した映像信号Ｓ３の圧縮処理を行い，その圧縮映像信号Ｓ４を出力する。
【００１７】
圧縮信号選択回路５では，圧縮映像信号Ｓ１と圧縮映像信号Ｓ４とを入力し，フレーム毎に圧縮映像信号Ｓ１と圧縮映像信号Ｓ４のそれぞれのフレームタイプを識別し，両信号がＩフレームの場合には圧縮映像信号Ｓ１を，それ以外の場合には圧縮映像信号Ｓ４をフレーム毎に選択し，圧縮映像信号Ｓ５として出力する。図２の例では，圧縮映像信号Ｓ５において，大文字の「Ｉ」で表しているフレーム番号１，６，１１のフレームが圧縮映像信号Ｓ１から選択されたフレームであり，小文字の「ｉ」で表しているフレーム番号２〜５，７〜１０，１２〜１４のフレームが圧縮映像信号Ｓ４から選択されたフレームである。
【００１８】
圧縮映像記録回路６では，圧縮映像信号Ｓ５を入力し，録画時にはその信号を記録するとともに，再生時には，記録された信号を読み出して圧縮映像信号Ｓ６として出力する。
【００１９】
以上のように圧縮映像信号を記録することより，圧縮映像記録回路６で記録される圧縮映像信号Ｓ５は，Ｉフレームだけから構成される圧縮映像信号であり，フレーム間圧縮を用いたフレームは含まれない。
【００２０】
＜再生時＞
次に，再生時の動作を説明する。再生時には，セレクタ回路２は，圧縮映像信号Ｓ６側を選択するように設定される。圧縮映像記録回路６に対して，図示省略した指示手段により，再生を開始するフレーム番号（または先頭からの相対時間）が通知され，記録された信号の読み出しが指示される。これにより，圧縮映像記録回路６から，記録された信号をそのまま圧縮映像信号Ｓ６として出力する。圧縮映像信号Ｓ６は，すべてフレーム内圧縮のみのフレームから構成される。
【００２１】
セレクタ回路２では，録画された圧縮映像信号の再生時は常に，入力した圧縮映像信号Ｓ６を選択して，圧縮映像信号Ｓ２として出力する。デコーダ回路３は，圧縮映像信号Ｓ２を入力して，伸長処理を行い，映像信号Ｓ３として映像出力端子７に出力する。
【００２２】
図３の例のように，圧縮映像信号Ｓ６は，すべてフレーム内圧縮のみのフレームから構成されるため，デコーダ回路３で即座に伸長することができる。したがって，任意のフレームを先頭として再生する場合でも，他のフレームを再生することなく，初めから当該先頭フレームを再生することができる。
【００２３】
【発明の効果】
以上説明したように，本発明によれば，受信した圧縮映像信号をそのまま録画するのではなく，受信した圧縮映像信号中のＩフレームはそのまま記録し，ＢフレームやＰフレームは，一旦デコーダで映像信号に変換したのち，新たに搭載するエンコーダ回路でＩフレームに変換して記録する。記録されるフレームをすべてフレーム内圧縮のフレームとすることで，任意のフレームから再生することができる。
【００２４】
このため，任意のフレームを先頭として再生する場合でも，他のフレームを再生することなく，初めから当該先頭フレームを再生することができ，再生までの待ち時間を少なくすることができる。また，ランダムアクセスが可能になる。
【図面の簡単な説明】
【図１】本発明の一実施形態のブロック構成を説明する図である。
【図２】本発明の一実施形態の録画時の動作を説明する図である。
【図３】本発明の一実施形態の再生時の動作を説明する図である。
【図４】従来例のブロック構成を説明する図である。
【図５】圧縮映像信号を説明する図である。
【図６】従来例の再生時の動作を説明する図である。
【符号の説明】
１  圧縮映像入力端子
２  セレクタ回路
３  デコーダ回路
４  エンコーダ回路
５  圧縮信号選択回路
６  圧縮映像記録回路
７  映像出力端子
Ｓ１，Ｓ２，Ｓ４，Ｓ５，Ｓ６  圧縮映像信号
Ｓ３  映像信号
【図１】
0003825367.tif 000002
【図２】
0003825367.tif 000003
【図３】
0003825367.tif 000004
【図４】
0003825367.tif 000005
【図５】
0003825367.tif 000006
【図６】
0003825367.tif 000007